(57)【要約】  ユーザ機器（ＵＥ）に実装される方法は、第１の送信アンテナポートから第１の参照信号（ＲＳ）を受信すること、および第１のＲＳに基づいてチャネル推定を実行することを含む。方法はまた、第１のＲＳおよび第２のＲＳが空間的なプロパティを共有するという指示を取得すること、および第２の送信アンテナポートから第２のＲＳを受信することを含む。方法は、指示に基づいて第２のＲＳについての共有される空間的なプロパティを推測すること、および第２のＲＳに基づいて推測された空間的なプロパティを使用してチャネル推定を実行することをさらに含む。【選択図】図２Ｂ
2019537858.tif 000002
【特許請求の範囲】
【請求項１】
ユーザ機器（ＵＥ）（１１０）に実装される方法（２３０）であって、
第１の送信アンテナポートから第１の参照信号（ＲＳ）を受信すること（２３２）と、
前記第１のＲＳに基づいてチャネル推定を実行すること（２３４）と、
前記第１のＲＳおよび第２のＲＳが空間的なプロパティを共有するという指示を取得すること（２３６）と、
第２の送信アンテナポートから前記第２のＲＳを受信すること（２３８）と、
前記指示に基づいて前記第２のＲＳについての共有される前記空間的なプロパティを推測すること（２４０）と、
前記第２のＲＳに基づいて推測された前記空間的なプロパティを使用してチャネル推定を実行すること（２４２）と
を備える方法。
【請求項２】
前記第２のＲＳに基づく前記チャネル推定が、前記第１のＲＳについての前記チャネル推定の部分的な結果を二重にすることを含む、請求項１に記載の方法。
【請求項３】
前記第２のＲＳに基づく前記チャネル推定が、前記第１のＲＳについて実行される処理または測定活動を省略することを含む、請求項１または２に記載の方法。
【請求項４】
前記第１および第２のＲＳに基づく前記チャネル推定が、連帯的に実行される、請求項１に記載の方法。
【請求項５】
前記第１のＲＳに基づく前記チャネル推定が、受信機の空間的なプロパティを表すパラメータの値を決定することを備え、
前記値を再利用している間に前記第２のＲＳが受信される、請求項１から４のいずれか一項に記載の方法。
【請求項６】
前記第１のＲＳに基づく前記チャネル推定が、共有される少なくとも１つの前記空間的なプロパティに基づいて推定フィルタを生成することを備え、
前記第２のＲＳに基づく前記チャネル推定が、前記生成された推定フィルタを適用することを備える、請求項１に記載の方法。
【請求項７】
前記指示がコロケーション指示または疑似コロケーション指示である、請求項１から６のいずれか一項に記載の方法。
【請求項８】
前記指示がネットワークノードから受信したメッセージで搬送される、請求項１から７のいずれか一項に記載の方法。
【請求項９】
前記指示が事前合意されている、請求項１から７のいずれか一項に記載の方法。
【請求項１０】
少なくとも１つの前記空間的なプロパティが、
チャネル相関パラメータ、
前記チャネルの空間的な相関マトリックス、
前記チャネルの受信機側の空間的な相関マトリックス、
空間的な相関マトリックスの因子、
空間的な相関マトリックスのマトリックス因子、
空間的な相関マトリックスの線形な組み合わせ要素、
非スカラープロパティ、
受信ビーム重み設定を表すメトリック、および
前記空間的なチャネル相関のサブセットまたは線形な組み合わせ、
から選択される、請求項１から９のいずれか一項に記載の方法。
【請求項１１】
前記第１のＲＳに基づいてチャネル推定を実行すること（１３４）が、前記第１のＲＳに基づいてチャネル相関マトリックスを推定することを備える、請求項１から１０のいずれか一項に記載の方法。
【請求項１２】
前記第２のＲＳに基づいてチャネル推定を実行する時、処理ゲインを取得することをさらに備える、請求項１から１１のいずれか一項に記載の方法。
【請求項１３】
前記第１のＲＳが同期信号またはＣＳＩ決定に使用される信号であり、前記第２のＲＳがＣＳＩ決定に使用される信号である、請求項１から１２のいずれか一項に記載の方法。
【請求項１４】
前記第１および第２のＲＳが送信される時、前記第１のＲＳの送信と前記第２のＲＳの送信との間の関係が、時間におけるポイントに非明示的に依存する、請求項１から１３のいずれか一項に記載の方法。
【請求項１５】
ユーザ機器（ＵＥ）（１１０）であって、
受信機（４１０）と、
送信機（４１０）と、
プロセッサ（４２０）と、
メモリ（４３０）であって、前記プロセッサ（４２０）によって
前記受信機（４１０）を使用して少なくとも１つの送信アンテナポートから第１の参照信号（ＲＳ）を受信すること（２３２）と、
前記第１のＲＳに基づいてチャネル推定を実行すること（２３４）と、
前記第１のＲＳおよび第２のＲＳが空間的なプロパティを共有するという指示を取得すること（２３６）と、
前記受信機（４１０）を使用して第２の送信アンテナポートから前記第２のＲＳを受信すること（２３８）と、
前記第２のＲＳについての共有される前記空間的なプロパティを推測すること（２４０）と、
前記第２のＲＳに基づいて推測された前記空間的なプロパティを使用してチャネル推定を実行すること（２４２）と
を行うための実行可能な命令を記憶するメモリ（４３０）とを備える、ユーザ機器（ＵＥ）（１１０）。
【請求項１６】
前記受信機（４１０）が複数アンテナ受信機である、請求項１５に記載のＵＥ。
【請求項１７】
前記受信機（４１０）が、アナログドメイン、デジタルドメイン、またはその両方において制御可能な２つ以上のアンテナ要素を装備する、請求項１６に記載のＵＥ。
【請求項１８】
前記第２のＲＳに基づく前記チャネル推定が、前記第１のＲＳについての前記チャネル推定の部分的な結果を二重にすることを含む、請求項１５から１７のいずれか一項に記載のＵＥ。
【請求項１９】
前記第２のＲＳに基づく前記チャネル推定が、前記第１のＲＳについて実行される処理または測定活動を省略することを含む、請求項１５から１８のいずれか一項に記載のＵＥ。
【請求項２０】
前記第１および第２のＲＳに基づく前記チャネル推定が、連帯的に実行される、請求項１５から１７のいずれか一項に記載のＵＥ。
【請求項２１】
前記第１のＲＳに基づく前記チャネル推定が、受信機の空間的なプロパティを表すパラメータの値を決定することを備え、
前記値を再利用している間に前記第２のＲＳが受信される、請求項１５から２０のいずれか一項に記載のＵＥ。
【請求項２２】
前記第１のＲＳに基づく前記チャネル推定が、共有される少なくとも１つの前記空間的なプロパティに基づいて推定フィルタを生成することを備え、
前記第２のＲＳに基づく前記チャネル推定が、前記生成された推定フィルタを適用することを備える、請求項１５から１７のいずれか一項に記載のＵＥ。
【請求項２３】
前記指示がコロケーション指示または疑似コロケーション指示である、請求項１５から２２のいずれか一項に記載のＵＥ。
【請求項２４】
前記指示がネットワークノードから受信したメッセージで搬送される、請求項１５から２３のいずれか一項に記載のＵＥ。
【請求項２５】
前記指示が事前合意されている、請求項１５から２４のいずれか一項に記載のＵＥ。
【請求項２６】
少なくとも１つの前記空間的なプロパティが、
チャネル相関パラメータ、
前記チャネルの空間的な相関マトリックス、
前記チャネルの受信機側の空間的な相関マトリックス、
空間的な相関マトリックスの因子、
空間的な相関マトリックスのマトリックス因子、
空間的な相関マトリックスの線形な組み合わせ要素、
非スカラープロパティ、
受信ビーム重み設定を表すメトリック、および
前記空間的なチャネル相関のサブセットまたは線形な組み合わせ、
から選択される、請求項１５から２５のいずれか一項に記載のＵＥ。
【請求項２７】
前記第１のＲＳが同期信号またはＣＳＩ決定に使用される信号であり、前記第２のＲＳがＣＳＩ決定に使用される信号である、請求項１５から２６のいずれか一項に記載のＵＥ。
【請求項２８】
前記第１および第２のＲＳが送信される時、前記第１のＲＳの送信と前記第２のＲＳの送信との間の関係が、時間におけるポイントに非明示的に依存する、請求項１５から２７のいずれか一項に記載のＵＥ。
【発明の詳細な説明】
【技術分野】
【０００１】
本開示は、概して、無線通信に関し、より詳細には疑似コロケーションフレームワークに関する。
【背景技術】
【０００２】
Ｌｏｎｇ  Ｔｅｒｍ  Ｅｖｏｌｕｔｉｏｎ（ＬＴＥ）システムの設計を導く原理の１つは、ユーザ機器（ＵＥ）へのネットワークの透過性である。例えば、ＵＥは、他のＵＥまたはネットワーク配置についてスケジューリング割り当ての特定の知識がなくても、その意図されたチャネルを復調および復号することができる。
【０００３】
例えば、エンハンスド物理ダウンリンク制御チャネル（ｅＰＤＣＣＨ）上の異なるダウンリンク制御情報（ＤＣＩ）メッセージは異なる送信ポイントに属するポートから送信され得る。異なるポイントからＵＥに制御シグナリングをサーブすることにはいくつかの理由があるが、１つのアプリケーションは、異なるポイントにおいてスケジューリングアルゴリズムの部分を分散することを含み、それによって例えば、ダウンリンク（ＤＬ）送信がアップリンク（ＵＬ）送信とは異なるポイントに関連付けられる。そのような場合、それぞれのポイントから直接提供される制御シグナリングを伴うＤＬおよびＵＬ送信をスケジューリングすることは意味のあることである。
【０００４】
さらなるアプリケーションは、例えば、データレートを増加させるため、またはポイント同士の間のハンドオーバの間、ＵＥに異なるポイントから並列データ送信をサーブすることを含む。さらなるアプリケーションは「マスター」ポイントからシステム制御情報を送信すること、および通常はピコノードに関連付けられている他のポイントからのデータ送信に依存すること、から構成される。
【０００５】
上記すべてのアプリケーションにおいて、ＵＥに同一のサブフレームにおける異なるポイントからｅＰＤＣＣＨ上の制御シグナリングをサーブする可能性を有することは意味のあることである。それぞれの場合において、ＵＥはそれぞれの参照信号（ＲＳ）ポートが送信される地理的な場所を認識しない。
【０００６】
復調用参照信号（ＤＭＲＳ）またはＵＥ特異的なＲＳがデータチャネルおよび恐らくは特定の制御チャネル（例えば、ｅＰＤＣＣＨ）の復調に使用される。ＵＥ特異的なＲＳは、ＵＥが多くの送信のプロパティを知らなくてはならないことの負担を軽くしており、したがって、フレキシブルな送信スキームを使用してネットワーク側を形成することを可能にしている。これは（ＵＥに関する）送信透過性と称される。しかしながら、問題はＵＥ特異的なＲＳの推定正確さが、一部の状況においては十分でない可能性があることである。
【０００７】
ＲＳポートの地理上の間隔は、それぞれのポートからＵＥに向かう瞬時チャネル係数が概して異なることを意味している。さらに、異なるポートおよびＲＳタイプに関するチャネルの統計的なプロパティが著しく異なることさえある。そのような統計的なプロパティの例としては、それぞれのポートについての受信した電力、遅延広がり、ドップラー広がり、受信したタイミング（例えば、第１の重大チャネルタップのタイミング）、重大チャネルタップの数、周波数シフトが挙げられる。ＬＴＥにおいては、別のアンテナポートのチャネルのプロパティに基づくアンテナポートに対応するチャネルのプロパティについては何も想定することができない。これは、送信透過性を維持する重要な態様である。
【０００８】
上記の所見に基づいて、ＵＥはそれぞれの送信の対象となるそれぞれのＲＳポートについて独立的な推定を実行するべきである。これは特定のＲＳポートについては時として不十分なチャネル推定品質をもたらし、望ましくないリンクおよびシステムパフォーマンスの低下につながる。
【０００９】
ＬＴＥにおいては、チャネル推定に使用される参照信号はアンテナポートと表記される。したがってＵＥは関連付けられている参照信号（ＲＳ）を使用することによって１つのアンテナポートからチャネルを推定することができる。そうすれば、特定のデータまたは制御送信をアンテナポートに関連付けることができる（例えば、ＵＥはそのアンテナポートについてのＲＳを使用して、関連付けられている制御またはデータチャネルを復調するために使用されたチャネルを推定することができる）。データまたは制御チャネルはそのアンテナポートを使用して送信され得る。
【００１０】
ＬＴＥにおいては、疑似コロケーションの概念は制御またはデータチャネルを復調する際にチャネル推定パフォーマンスを改善するために導入されてきた。ＵＥは、そのチャネル推定アルゴリズムをチューニングするために、１つの参照信号からｌｏｎｇ  ｔｅｒｍチャネルプロパティを推定することができる。例えば、平均のチャネル遅延広がりは１つのアンテナポートを使用して推定されること、および別のアンテナポートを使用して送信されたデータチャネルを復調する際に使用されることができる。このことが許容される場合、第１および第２のアンテナポートが平均のチャネル遅延広がりに関して疑似コロケートされた（ＱＣＬ）と特定される。
【００１１】
したがって、ＬＴＥ仕様で使用されるように、１つのアンテナポート上のシンボルが伝達されるチャネルの大規模なチャネルプロパティが他のアンテナポート上のシンボルが伝達されるチャネルから推測されることができる場合、２つのアンテナポートが「疑似コロケートされる」。大規模なチャネルプロパティとしては、好ましくは遅延広がり、ドップラー広がり、ドップラーシフト、平均のゲイン、および平均の遅延のうちの１つまたは複数が挙げられる。
【００１２】
加えて、またはあるいは、大規模なチャネルプロパティとしては、それぞれのポートについての受信した電力、受信したタイミング（例えば、第１の重大チャネルタップのタイミング）、重大チャネルタップの数、および周波数シフトのうちの１つまたは複数が挙げられてもよい。疑似コロケートされたアンテナポートに対応するＲＳに基づいてチャネル推定アルゴリズムチューニングを実行することによって、チャネル推定の品質は大幅に改善される。
【００１３】
現在のＬＴＥ仕様において、また新しい無線（ＮＲ）についての実際的な想定によると、明示的に特定されていない限り、ＵＥは別の信号を受信または処理することにおいてアシストするために１つの参照信号からの測定値を使用することを許容されない。このルールについての理由は、ＵＥが、ネットワークが気づかないうちに破損するかも知れない参照信号同士の間の関係に依存する状況を避けるために、ネットワークおよびＵＥの両方がすべての参照信号と信号の間の関係において共通の理解を有するべきだからである。
【００１４】
ＵＥが明示的に特定されない参照信号同士の間で想定を行うことが許容されないため、空間的な受信機が以前の信号の以前の受信に基づいて１つの信号を処理することをＵＥが改善することを許容することができない。
【００１５】
疑似コロケーション（ＱＣＬ）の観念がＬＴＥにおいて導入され、ＵＥが１つの参照信号の特定のプロパティを使用して別の信号の処理においてアシストするやり方を可能にするためにＮＲについて考察されている。しかし、ＬＴＥについてのＱＣＬパラメータは多元空間的な受信機処理に直接使用することができないスカラーエンティティを考慮するだけである。
【００１６】
ＬＴＥにおける現在のＱＣＬフレームワークは、単一の入力および単一の出力チャネルを念頭に設計されており、複数アンテナ送信、特に多数の送信および受信アンテナを考慮する能力に欠けている。さらに、高キャリア周波数およびビームフォーミングの使用をどのようにＱＣＬと共に取り扱うか、が問題となる。
【発明の概要】
【００１７】
ＱＣＬフレームワークを新しいチャネルパラメータで補完することによって、本開示は空間的なプロパティ、特に空間的なチャネル相関パラメータに依存し、第１の参照信号から推定されるチャネルパラメータを使用することができる受信（ＲＸ）ノードを識別し、第２の信号の受信および／または処理を改善するため、ネットワークのためのメカニズムを提供する。
【００１８】
既存の解決策により前述の問題に対処するため、受信ノードにおける方法が開示される。方法は、少なくとも１つの送信アンテナポートから１つまたは複数の参照信号（ＲＳ）の第１のセットにおけるＲＳを受信することと、第１のセットにおいて受信されるＲＳに基づいてチャネル推定を実行することとを含む。方法はまた、ＲＳの第１のセットおよび１つまたは複数のＲＳの第２のセットが少なくとも１つの空間的なプロパティを共有するという指示を取得すること、および、少なくとも１つの送信アンテナポートから、ＲＳの第２のセットにおけるＲＳを受信することを含む。方法は、第２のセットにおける受信されるＲＳに基づいて、および少なくとも１つの空間的なプロパティが取得された指示通りに共有されるという想定の下でチャネル推定を実行することをさらに含む。
【００１９】
受信機、送信機、プロセッサ（プロセッサ回路を含む）、および複数アンテナ受信機を使用して少なくとも１つの送信アンテナポートから１つまたは複数の参照信号（ＲＳ）の第１のセットにおけるＲＳを受信することと、第１のセットにおいて受信されるＲＳに基づいてチャネル推定を実行することと、第１のセットにおいて受信されるＲＳに基づいてチャネル推定を実行することと、ＲＳの第１のセットおよび１つまたは複数のＲＳの第２のセットが少なくとも１つの空間的なプロパティを共有するという指示を取得することと、受信機を使用して少なくとも１つの送信アンテナポートからＲＳの第２のセットにおけるＲＳを受信することと、第２のセットにおける受信されるＲＳに基づいて、および少なくとも１つの空間的なプロパティが取得された指示通りに共有されるという想定の下でチャネル推定を実行することとを、プロセッサによって実行可能な命令を記憶するメモリ、を備える受信ノードもまた開示される。
【００２０】
複数のアンテナポートからＲＳを送信するように設定される送信ノードに実装される方法もまた開示される。方法は、１つまたは複数の参照信号（ＲＳ）の第１のセットおよび１つまたは複数のＲＳの第２のセットが少なくとも１つの空間的なプロパティを共有する指示を取得することと、前記指示にしたがってアンテナポートを設定することと、第１および第２のセットのそれぞれにおけるＲＳを送信することと、を含む。
【００２１】
複数アンテナ送信機、プロセッサ（プロセッサ回路を含む）、および１つまたは複数の参照信号（ＲＳ）の第１のセットおよび１つまたは複数のＲＳの第２のセットが少なくとも１つの空間的なプロパティを共有するという指示を取得することと、前記指示にしたがってアンテナポートを設定することと、第１および第２のセットのそれぞれにおけるＲＳを送信することとを、プロセッサによって実行可能な命令を記憶するメモリ、を備える送信ノードもまた開示される。
【００２２】
ユーザ機器（ＵＥ）に実装される方法もまた開示される。方法は、第１の送信アンテナポートから第１の参照信号（ＲＳ）を受信することと、第１のＲＳに基づいてチャネル推定を実行することを含む。方法はまた、第１のＲＳおよび第２のＲＳが空間的なプロパティを共有するという指示を取得することと、第２の送信アンテナポートから第２のＲＳを受信することを含む。方法は、指示に基づいて第２のＲＳについての共有される空間的なプロパティを推測すること、および第２のＲＳに基づいて推測された空間的なプロパティを使用してチャネル推定を実行することをさらに含む。
【００２３】
受信機、送信機、プロセッサ、およびメモリを含むユーザ機器（ＵＥ）もまた開示される。メモリはプロセッサによって、受信機を使用して少なくとも１つの送信アンテナポートから第１の参照信号（ＲＳ）を受信することと、第１のＲＳに基づいてチャネル推定を実行することを行わせるための実行可能な命令を記憶する。さらに、命令は第１のＲＳおよび第２のＲＳが空間的なプロパティを共有するという指示を取得することと、受信機（４１０）を使用して第２の送信アンテナポートから第２のＲＳを受信することを行うように実行可能である。また、命令は第２のＲＳについての共有される空間的なプロパティを推測することと、第２のＲＳに基づいて推測された空間的なプロパティを使用してチャネル推定を実行することを行うように実行可能である。
【００２４】
本開示の特定の実施形態は、１つまたは複数の技術的利点を提供することができる。例えば、特定の実施形態において、既存のＱＣＬフレームワークを空間的なチャネルプロパティに依存する新しいＱＣＬパラメータで補完することによって、明示的に特定されていない限り、ＵＥが別の信号の受信または処理において１つの参照信号からの測定値を使用してアシストすることが許容されないというルールに違反することなく、ＵＥは異なる信号タイプに対して処理を実行することができる。そのような空間的な処理の例は、チャネル推定を改善するための、空間的な処理ゲインを使用したアナログ受信機ビームフォーミングおよびチャネル推定である。その他の利点は、当業者には容易に明らかとなろう。特定の実施形態は、列挙されている利点のいずれも有していなくてもよく、利点の一部または全部を有していてもよい。その他の利点は、当業者には容易に明らかとなろう。特定の実施形態は、列挙されている利点をどれも有していないか、利点の一部、または全部を有することができる。
【００２５】
開示される実施形態ならびにそれらの特徴および利点をより完全に理解するために、これ以降、添付の図面と併せて以下の説明が参照される。
【図面の簡単な説明】
【００２６】
【図１】特定の実施形態による例示的なネットワークの図である。
【図２Ａ】特定の実施形態によるチャネル推定の方法を示す流れ図である。
【図２Ｂ】特定の実施形態によるチャネル推定の方法を示す流れ図である。
【図３】特定の実施形態によるビームフォーミングの方法を示す流れ図である。
【図４】特定の実施形態による例示的な無線デバイスのブロック概略図である。
【図５】特定の実施形態による例示的なネットワークノードのブロック概略図である。
【図６】特定の実施形態による例示的な無線ネットワークコントローラまたはコアネットワークノードのブロック概略図である。
【図７】特定の実施形態による例示的な無線デバイスのブロック概略図である。
【図８】特定の実施形態による例示的なネットワークノードのブロック概略図である。
【図９】チャネル推測について周波数および時間の関係を示すグラフである。
【発明を実施するための形態】
【００２７】
上記で説明されたように、ＬＴＥおよびＮＲにおいて、疑似コロケーション（ＱＣＬ）情報は空間的な（例えば、多元）プロパティではなく、スカラーエンティティ（プロパティとも称される）を伴う。結果として、ＵＥはその多元空間的な受信機処理についてのＱＣＬ情報を使用することができない。本開示は、空間的なチャネルプロパティに依存するＱＣＬパラメータを含む従来にはないＱＣＬフレームワークを企図する。ネットワークは、ＵＥに空間的なプロパティに依存するこれらのチャネルパラメータを使用して、第２の信号の受信および／または処理を改善するように命令することができる。このやり方で、明示的に特定されていない限り、ＵＥは別の信号の受信または処理において１つの参照信号からの測定値を使用してアシストすることは許容されないというルールに違反することなく、ＵＥは異なる信号タイプに対して空間的な処理を実行することができる。例えば、ＵＥは、空間的な処理ゲインを使用してアナログ受信機ビームフォーミングおよびチャネル推定を実行してチャネル推定を改善することができる。
【００２８】
本開示はネットワーク（図１に示されるネットワーク１００など）における２つのノード、送信機（ＴＸ）ノードおよび受信機（ＲＸ）ノード（例えば、ユーザ機器（ＵＥ））の間の通信に関する。ＴＸノードは１つまたは複数の送信アンテナポートから参照信号（ＲＳ）の第１のセットを送信する。ＲＸノードは１つまたは複数の受信アンテナポートを使用して送信された参照信号を受信し、送信されたＲＳの受信した第１のセット、チャネルの空間的なプロパティを捉える１つまたは複数のパラメータに基づいて決定または推定を行う。ＲＸノードは、１つまたは複数の送信アンテナポートから送信されたＲＳの第２のセットが前記第１のＲＳで疑似コロケートされており、ここでＱＣＬはそのチャネルの空間的なプロパティを捉える１つまたは複数のパラメータに関して与えられる、という指示を決定する。ＴＸノードは１つまたは複数の送信アンテナポートから送信ＲＳの第２のセットを送信する。ＲＸノードはＲＳの第１のセットに基づくチャネルの空間的なプロパティを捉える決定されたパラメータのうちの１つまたは複数を使用して、ＲＳの第２のセットの受信においてアシストする。
【００２９】
受信アンテナポートは、個々の受信アンテナ、受信機無線チェーン、受信機ベースバンド処理ユニットなどに対応する。したがって、ＵＥが受信アンテナポートを２つ有する場合、ＵＥは受信アンテナを２つ有している。しかしながら、それぞれの受信アンテナポートは複数またはすべての物理的な受信アンテナに接続することができる。
【００３０】
上記で説明されるＱＣＬの指示は、空間的なプロパティを捉える１つまたは複数のパラメータはＲＳの２つのセットの間で等しいかほぼ等しいかも知れない（または想定される）という意味でその２つはＱＣＬであることを指示する。いくつかの場合では、この指示はＲＳ測定値の特定の場合にのみ当てはまることができ、一方他の場合では、ＱＣＬの指示はより長い時間期間にわたって適用される。一部の実施形態において、用語「第１のＲＳ」および「第２のＲＳ」はそれぞれ「ＲＳの第１のセット」および「ＲＳの第２のセット」を意味することもできる。第２の信号はＲＸノードにおいてチャネル状態情報（ＣＳＩ）推定に使用される参照信号であってよい。別の実施形態において、第２の信号は、恐らくは復調用参照信号に伴うデータ送信である。
【００３１】
本開示はチャネルの空間的なプロパティを捉えるパラメータを企図しており、例えば、チャネルは多入力多出力（ＭＩＭＯ）チャネルによって表される。受信機または送信機の少なくとも１つは、アナログドメインまたはデジタルドメインのいずれかにおいて制御され得る２つ以上のアンテナ要素を装備してもよい。
【００３２】
一実施形態において、送信はビームフォーミング機能を有するアンテナアレイから実行され、および信号はプリコードされてもよく、ビームフォーミングされてもよく、またはプリコードされなくてもよい（例えば、信号はアンテナ要素または固定されたサブアレイから送信される）。
【００３３】
同様に、一実施形態において、受信ノードは、すべてのアナログ、アナログデジタル受信、またはすべてのデジタルアレイ受信であってよい受信機フィルタリング機能を有するアンテナアレイを装備する。
【００３４】
一実施形態において、第２の信号の空間的な処理は、受信機アンテナ、デジタルもしくはアナログの受信機ビームフォーミング、またはチャネル状態情報の推定に対して、空間的に依存したパラメータでフィルタリングすることを含む。
【００３５】
図１は特定の実施形態によるネットワーク１００の実施形態を例示する図である。ネットワーク１００は、１つまたは複数のＵＥ１１０（同義的に無線デバイス１１０と称されてもよい）および１つまたは複数のネットワークノード１１５（同義的に拡張ノードＢ（ｅＮＢ）１１５と称されてもよい）を含む。ＵＥ１１０は無線インターフェースを介してネットワークノード１１５と通信することができる。例えば、ＵＥ１１０はネットワークノード１１５のうちの１つまたは複数に無線信号を送信することができ、および／またはネットワークノード１１５のうちの１つまたは複数から無線信号を受信することができる。無線信号は、ボイストラフィック、データトラフィック、制御信号、および／または任意の他の適切な情報を含むことができる。一部の実施形態において、ネットワークノード１１５に関連付けられている無線信号カバレッジのエリアは、セルと称されてもよい。一部の実施形態において、ＵＥ１１０はデバイスツーデバイス（Ｄ２Ｄ）機能を有してもよい。したがって、ＵＥ１１０は直接別のＵＥから信号を受信することおよび／または直接別のＵＥに信号を送信することができる。
【００３６】
特定の実施形態において、ネットワークノード１１５は、無線ネットワークコントローラとインターフェースをとることができる。無線ネットワークコントローラは、ネットワークノード１１５を制御することができ、特定の無線リソース管理機能、モビリティ管理機能、および／またはその他の適切な機能を提供することができる。特定の実施形態において、無線ネットワークコントローラの機能は、ネットワークノード１１５に含まれてもよい。無線ネットワークコントローラは、コアネットワークノードとインターフェースをとることができる。特定の実施形態において、無線ネットワークコントローラは、相互接続ネットワーク１２０を介してコアネットワークノードとインターフェースをとることができる。相互接続ネットワーク１２０は、オーディオ、ビデオ、信号、データ、メッセージ、またはそれらの任意の組み合わせを送信することができる任意の相互接続システムを示すことができる。相互接続ネットワーク１２０は、公衆交換電話網（ＰＳＴＮ）、パブリックまたはプライベートデータネットワーク、ローカルエリアネットワーク（ＬＡＮ）、大都市圏ネットワーク（ＭＡＮ）、ワイドエリアネットワーク（ＷＡＮ）、ローカル、地域、もしくはグローバル通信、またはインターネットのようなコンピュータネットワーク、有線もしくは無線ネットワーク、企業イントラネット、もしくはそれらの組み合わせを含む任意のその他の適切な通信リンクの全部または一部を含むことができる。
【００３７】
一部の実施形態において、コアネットワークノードは、ＵＥ１１０の通信セッションの確立およびさまざまなその他の機能を管理することができる。ＵＥ１１０は、非アクセス階層レイヤを使用して、特定の信号をコアネットワークノードと交換することができる。非アクセス階層シグナリングにおいて、ＵＥ１１０とコアネットワークノードの間の信号は、無線アクセスネットワークを通じて透過的に渡されてもよい。特定の実施形態において、ネットワークノード１１５は、例えばＸ２インターフェースのような、ノード間インターフェースを介して１つまたは複数のネットワークノードとインターフェースをとることができる。
【００３８】
上記で説明されているように、ネットワーク１００の例示の実施形態は、１つまたは複数の無線デバイス１１０、および無線デバイス１１０と（直接または間接的に）通信することができる１つまたは複数のさまざまなタイプのネットワークノードを含むことができる。
【００３９】
一部の実施形態において、ＵＥという非限定的な用語が使用される。本明細書において説明されるＵＥ１１０は、無線信号を介してネットワークノード１１５または別のＵＥと通信することができる任意のタイプの無線デバイスであってもよい。ＵＥ１１０はまた、無線通信デバイス、ターゲットデバイス、Ｄ２Ｄ  ＵＥ、マシンタイプ通信ＵＥまたはマシンツーマシン通信（Ｍ２Ｍ）が可能なＵＥ、低コストおよび／または低複雑性ＵＥ、ＵＥ装備のセンサー、タブレット、モバイル端末、スマートフォン、ラップトップ組み込み機器（ＬＥＥ）、ラップトップ搭載機器（ＬＭＥ）、ＵＳＢドングル、顧客宅内機器（ＣＰＥ）などであってもよい。ＵＥ１１０は、そのサービングセルに関して通常のカバレッジまたは拡張カバレッジのいずれでも動作することができる。拡張カバレッジは、同義的に拡大カバレッジと称されてもよい。ＵＥ１１０はまた、複数のカバレッジレベル（例えば、通常カバレッジ、拡張カバレッジレベル１、拡張カバレッジレベル２、拡張カバレッジレベル３など）において動作することもできる。場合によっては、ＵＥ１１０はまた、カバレッジ範囲外のシナリオにおいて動作することもできる。
【００４０】
また、一部の実施形態において、「無線ネットワークノード」（または単に「ネットワークノード」）という一般的な用語が使用される。これは、基地局（ＢＳ）、無線基地局、ＮｏｄｅＢ、基地局（ＢＳ）、ＭＳＲ  ＢＳのようなマルチスタンダード無線（ＭＳＲ）無線ノード、エボルブドＮｏｄｅＢ（ｅＮＢ）、ネットワークコントローラ、無線ネットワークコントローラ（ＲＮＣ）、基地局コントローラ（ＢＳＣ）、リレーノード、リレードナーノード制御リレー、無線基地局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散アンテナシステム（ＤＡＳ）内のノード、マルチセル／マルチキャスト協調エンティティ（ＭＣＥ）、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、または任意の他の適切なネットワークノードを備えることができる任意の種類のネットワークノードであってもよい。
【００４１】
ネットワークノードおよびＵＥのような用語は、非限定的なものと見なされるべきであり、特にこの２つの間に特定の階層関係を暗示するものではなく、概して「ｅＮｏｄｅＢ」はデバイス１、「ＵＥ」はデバイス２と見なされてもよく、これらの２つのデバイスは一部の無線チャネルを介して相互に通信する。
【００４２】
ＵＥ１１０、ネットワークノード１１５、および（無線ネットワークコントローラまたはコアネットワークノードのような）その他のネットワークノードの例示の実施形態は、図４〜図８に関して以下でさらに詳細に説明される。
【００４３】
図１は、ネットワーク１００の特定の配列を示すが、本開示は、本明細書において説明されるさまざまな実施形態が、任意の適切な設定を有するさまざまなネットワークに適用され得ることを企図する。例えば、ネットワーク１００は、任意の適切な数のＵＥ１１０およびネットワークノード１１５、ならびにＵＥ間またはＵＥと（固定電話のような）別の通信デバイスの間の通信をサポートするのに適切な任意の追加の要素を含むことができる。さらに、特定の実施形態がＬｏｎｇ  Ｔｅｒｍ  Ｅｖｏｌｕｔｉｏｎ（ＬＴＥ）ネットワークにおいて実施されるように説明されることもあるが、実施形態は、任意の適切な通信標準（５Ｇ標準を含む）をサポートし、任意の適切なコンポーネントを使用する任意の適切なタイプの電気通信システムにおいて実施されてもよく、ＵＥが信号（例えば、データ）を受信および／または送信する任意の無線アクセス技術（ＲＡＴ）またはマルチＲＡＴシステムに適用可能である。例えば、本明細書において説明されるさまざまな実施形態は、ＬＴＥ、ＬＴＥ−Ａｄｖａｎｃｅｄ、５Ｇ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、他の適切な無線アクセス技術、または１つまたは複数の無線アクセス技術の任意の適切な組み合わせに適用可能であってもよい。特定の実施形態がダウンリンクにおける無線送信のコンテキストにおいて説明されることもあるが、本開示はさまざまな実施形態がアップリンクにおいても同等に適用可能であることを企図する。
【００４４】
指示を決定する−例
一部の実施形態は、参照信号を識別する可能性に依存しており、特に受信機の間のＱＣＬ関係を確立することができる受信機に関してそうである。
【００４５】
一実施形態において、第１および第２の参照信号はＲＸノードにとって識別可能である。これは例えば、シグナリングまたはネットワークノードからの設定を通じて、または所定の契約を通じて達成することができる。この処理では、第１および第２の識別情報インデックスがそれぞれ参照信号に割り当てられる。例えば、これらの識別情報はポート番号として記載されることがある。ある場合では、参照信号は付随する同期信号の検出を通じて識別される。識別情報（ＩＤ）を使用して、ＲＳが送信（送信機について）および受信（受信機について）されることができる時間周波数リソースに注目する設定を決定してもよい。例えば、第１のＲＳ送信および第２のＲＳ送信の間の関係は、明示的にまたは非明示的に２つの参照信号が送信される時間におけるポイントに依存する。例えば、第１および第２のＲＳが相対的な時間または周波数オフセットと共に送信されることを明示的に特定することができる。
【００４６】
ある場合では、同一のＩＤであっても異なる時間におけるＲＳの複数の送信が識別されるように、ＩＤは永続的または半永続的である。別の場合では、それぞれのＲＳ送信および／または受信が別個のＩＤを有することができるように、送信が発生した時間におけるポイントと組み合わされた識別情報インデックスであっても、ＲＳの識別情報は確立される。さらに別の場合では、送信されたまたは受信されたそれぞれのＲＳは別個のＩＤに帰属する。さらなる実施形態において、ＩＤは半静的なＩＤおよびタイムスタンプから構成され、多数のものからＲＳ送信を一意に参照する能力を容易にしている。
【００４７】
参照信号同士の間の疑似コロケーション関係は、ＩＤを使用してネットワークによって動的にシグナリングまたは設定されて、第１および第２の参照信号を指示することができる。別の実施形態において、疑似コロケーション関係はＴＸノードとＲＸノードの間の所定の契約において特定される。
【００４８】
別の実施形態において、グループインデックスが参照信号または参照信号ＩＤに割り当てられていても、ＱＣＬ関係が指示され、ここで２つの送信された参照信号が共通のグループインデックスを共有している場合、それらはＱＣＬであると想定される。そのような一実施形態において、グループインデックスは、ＱＣＬが送信ビームに依存し得るという事実を反映してビームインデックスと表される。
【００４９】
チャネル推定−例
この実例において、システムは第２のＲＳに基づいてチャネル推定を実行またはチャネル推定のパフォーマンスを改善する。第１および第２のＲＳは、プリコードされていないＣＳＩ−ＲＳであり、ＣＳＩ決定のために使用される。次にＣＳＩ決定は、ＣＳＩフィードバックのために使用されてよく、チャネル品質指標（ＣＱＩ）およびプリコーダマトリックス指標（ＰＭＩ）を含み、ここでＣＳＩフィードバックはＲＸノードからＴＸノードへの逆方向リンクにおいて送信される。
【００５０】
一実施形態において、チャネルの空間的なプロパティはチャネルの空間的な相関マトリックスの推定である。別の実施形態において、空間的なプロパティはサブセット、空間的な相関マトリックスの要素の、マトリックス因子を含む、因子、または空間的な相関マトリックスの要素の線形な組み合わせを含むだけである。そのようなサブセットまたは因子は、送信側の空間的なチャネル相関、または受信機側の空間的なチャネル相関を含むことができる。
【００５１】
一実施形態において、チャネルの空間的なプロパティは、チャネル推定アルゴリズムにおける信号対ノイズ比を改善するための適切な空間的なフィルタを決定するために使用される。フィルタは、例えば、前記空間的なチャネル相関から識別される信号サブ空間を選択するマトリックスであってもよい。その場合、空間的なフィルタは信号サブ空間の直交補完におけるノイズを抑制することになる。そのような空間的なフィルタリングを使用して、チャネル推定の処理ゲインが得られる。フィルタは送信側の空間的なチャネル相関、または同様に受信機側の空間的なチャネル相関マトリックスの固有ベクトル分解の一部に基づくことができる。
【００５２】
図２Ａはチャネル推定についての方法２００を示す流れ図である。本開示は、方法２００のステップを実行する電気通信ネットワークまたはシステムのうちの１つまたは複数のコンポーネントを企図する。ステップ２０５において、送信機ノードは第１のＲＳ信号を送信する。ステップ２１０において、受信機ノードは受信した第１のＲＳ信号に基づいてチャネル相関マトリックスＲを推定する。ステップ２１５において、受信機ノードは、第２のＲＳが第１のＲＳのチャネル相関に関してＱＣＬであるという指示を決定する。ステップ２２０において、送信機ノードは第２のＲＳ信号を送信する。ステップ２２５において、受信機ノードはそのＱＣＬ指示およびチャネル相関マトリックスＲを使用して、第２のＲＳ信号についてのチャネル推定を実行する時に処理ゲインを取得する。
【００５３】
図２Ｂはチャネル推定についての方法２３０を示す流れ図である。本開示は方法２３０のステップを実行する電気通信ネットワークまたはシステムのうちの１つまたは複数のコンポーネントを企図する。ステップ２３２において、受信機ノード（例えば、ＵＥ）は第１の送信アンテナポートから第１のＲＳを受信する。次いでステップ２３４においてＵＥは第１のＲＳに基づいてチャネル推定を実行する。ネットワークは送信を行い、ＵＥはステップ２３６において第１のＲＳおよび第２のＲＳが空間的なプロパティを共有しているという指示を取得する。ステップ２３８において、ＵＥは第２の送信アンテナポートから第２のＲＳを受信し、ステップ２４０において、指示に基づいて第２のＲＳから共有される空間的なプロパティを推測する。ステップ２４２において、ＵＥは推測された空間的なプロパティを使用して第２のＲＳに基づいてチャネル推定を実行する。特定の実施形態において、ＵＥはチャネル推定を実行する時２つのＲＳが特定の空間的なプロパティを共有するということを想定することができる。
【００５４】
アナログビームフォーミング−例
この実例において、ＲＸノードはアナログ受信機ビームフォーミング、またはアナログデジタルハイブリッドビームフォーミングを使用する。第１のＲＳはビームフォーミングを使用して送信され、この時ＲＳポートの数は正の整数である。パラメータ位相の決定の間、チャネルの空間的なプロパティを捉える１つまたは複数のパラメータは、受信ビーム重み設定に依存するメトリックの決定を含む。メトリックは、受信機アンテナ要素同士の間の空間的なチャネル相関のサブセットまたは線形な組み合わせの推定であってもよい。１つのそのようなメトリックは特定の受信ビーム重み設定を与えられた受信した電力である。当然ながら、それぞれの受信ビーム重み設定について、関連付けられているメトリックがある。
【００５５】
ＴＸノードは、所望の受信ビーム重み設定を探索する一方で、ＲＸノードに異なる受信機ビームをスイープさせながら第１のＲＳを複数回送信することができる。次いで、ＲＸノードは、前記第１のＲＳを受信することに関して、メトリックの観点で最適に機能する受信機ビームを選択することができる。
【００５６】
識別情報位相の決定の間、チャネルの空間的なプロパティを捉える１つまたは複数のパラメータは空間的なチャネル相関のサブセットまたは線形な組み合わせ、さらに特定の実施形態においては、受信機側のチャネル相関マトリックスを含む。受信機ビームに関連付けられているメトリックは、より大きな空間的なチャネル相関のセットの処理または改良されたバージョンであってもよい。したがって、受信機ノードが完全な空間的な相関パラメータを明示的に導出しないにも関わらず、空間的なチャネル相関に関してＱＣＬの識別情報は、数学的な結果としてのメトリックに関してＱＣＬを意味している。
【００５７】
一実施形態において、ＲＸノードは第２のＲＳは空間的なチャネル相関パラメータに関して第１のＲＳとＱＣＬであるという識別情報を決定する。そのサブセットまたは線形な組み合わせを含む。これは、ＲＸノードが、チャネル相関パラメータの関数であるビーム重みに依存するメトリックが第１のＲＳおよび第２のＲＳの間で同一であること、およびＲＸノードが、新しい受信機ビームスイープに頼る必要なく第１のＲＳを受信するために使用されるように、第２のＲＳの受信について最適化された受信ビーム重みを再利用できることを想定することができることを意味している。結果的に第２のＲＳの処理においてアシストするステップは、ＲＸノードが、特定の実施形態において第２のＲＳを受信するために第１のＲＳに基づいて決定される識別または最適化された所望の受信ビーム重み設定を使用することを意味している。
【００５８】
図３はビームフォーミングについての方法３００を示す流れ図である。本開示は、方法３００のステップを実行する電気通信ネットワークのうちの１つまたは複数のコンポーネントを企図する。ステップ３０５において、送信機ノードは一連の第１のＲＳ信号を送信する。ステップ３１０において、受信機ノードはその一連の第１のＲＳ信号を受信する一方でアナログビームスイーピングを実行し、ビームごとに受信した電力として導出されるビーム特有メトリクスを決定する。ステップ３１５において、受信機ノードは第２の信号は第１のＲＳのチャネル相関に関してＱＣＬであるという指示を決定する。ステップ３２０において、送信機ノードは第２の信号を送信する。ステップ３２５において、受信機ノードはＱＣＬ指示およびビーム特有メトリクスを使用して、どの受信機ビームが第２の信号の受信した電力を最大化するかを決定する。
【００５９】
ネットワーク−例
図４は、特定の実施形態による例示的な無線デバイスを示すブロック概略図である。無線デバイス１１０は、セルラーまたは移動体通信システムにおいて、ノードおよび／または別の無線デバイスと通信する任意のタイプの無線デバイスを示すことができる。無線デバイス１１０の例は、携帯電話、スマートフォン、ＰＤＡ（携帯情報端末）、ポータブルコンピュータ（例えば、ラップトップ、タブレット）、センサー、モデム、マシン型通信（ＭＴＣ）デバイス／マシンツーマシン（Ｍ２Ｍ）デバイス、ラップトップ組み込み機器（ＬＥＥ）、ラップトップ搭載機器（ＬＭＥ）、ＵＳＢドングル、Ｄ２Ｄ対応デバイス、または無線通信を提供することができるその他のデバイスを含む。無線デバイス１１０はまた、一部の実施形態において、ＵＥ、ステーション（ＳＴＡ）、デバイス、または端末と称されてもよい。無線デバイス１１０は、送受信機４１０、プロセッサ４２０（プロセッサ回路を含む）、およびメモリ４３０を含む。一部の実施形態において、送受信機４１０は、（例えば、アンテナ４４０を介して）ネットワークノード１１５への無線信号の送信、およびネットワークノード１１５からの無線信号の受信を容易にし、プロセッサ４２０は、無線デバイス１１０によって提供されるものとして上記で説明された機能性の一部または全部を提供するための命令を実行し、メモリ４３０は、プロセッサ４２０によって実行される命令を格納する。
【００６０】
プロセッサ４２０は、図１〜図３に関して上記で説明されている無線デバイス１１０の機能のような、無線デバイス１１０の説明されている機能の一部または全部を実行するように、命令を実行してデータを操作するために、１つまたは複数のモジュールにおいて実施されたハードウェアおよびソフトウェアの任意の適切な組み合わせを含むことができる。一部の実施形態において、プロセッサ４２０は、例えば、１つまたは複数のコンピュータ、１つまたは複数の中央演算処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／またはその他の論理を含むことができる。
【００６１】
メモリ４３０は、概して、コンピュータプログラム、ソフトウェア、論理、ルール、アルゴリズム、コード、テーブルなどの１つまたは複数を含むアプリケーションのような命令、および／またはプロセッサによって実行され得るその他の命令を格納するように動作可能である。メモリ４３０の例は、コンピュータメモリ（例えば、ランダムアクセスメモリ（ＲＡＭ）または読み取り専用メモリ（ＲＯＭ））、大容量ストレージ媒体（例えば、ハードディスク）、取り外し可能ストレージ媒体（例えば、コンパクトディスク（ＣＤ）またはデジタルビデオディスク（ＤＶＤ））、および／またはプロセッサ４２０によって使用され得る情報、データ、および／または命令を格納する任意のその他の揮発性または不揮発性の、非一時的コンピュータ可読および／またはコンピュータ実行可能メモリデバイスを含む。
【００６２】
無線デバイス１１０のその他の実施形態は、上記で説明されている機能性および／または（上記で説明されている解決策をサポートするために必要な任意の機能性を含む）追加の機能性のいずれかを含む、無線デバイスの機能性の特定の態様を提供することに責任を負う、図４に示されているコンポーネント以外の追加のコンポーネントを含むことができる。単に１つの例として、無線デバイス１１０は、入力デバイスおよび回路、出力デバイス、および１つまたは複数の同期ユニットまたは回路を含むことができ、これらはプロセッサ４２０の一部であってもよい。入力デバイスは、無線デバイス１１０へのデータのエントリのためのメカニズムを含む。例えば、入力デバイスは、マイクロフォン、入力要素、ディスプレイなどのような、入力メカニズムを含むことができる。出力デバイスは、オーディオ、ビデオ、および／またはハードコピーのフォーマットでデータを出力するためのメカニズムを含むことができる。例えば、出力デバイスは、スピーカ、ディスプレイなどを含むことができる。
【００６３】
図５は、特定の実施形態による例示的なネットワークノードを示すブロック概略図である。ネットワークノード１１５は、任意のタイプの無線ネットワークノードまたはＵＥおよび／または別のネットワークノードと通信する任意のネットワークノードであってもよい。ネットワークノード１１５の例は、ｅＮｏｄｅＢ、ＮｏｄｅＢ、基地局（ＢＳ）、無線アクセスポイント（例えば、Ｗｉ−Ｆｉアクセスポイント）、低電力ノード、無線基地局（ＢＴＳ）、リレー、リレーを制御するドナーノード、送信ポイント、送信ノード、リモートＲＦユニット（ＲＲＵ）、リモート無線ヘッド（ＲＲＨ）、ＭＳＲ  ＢＳのようなマルチスタンダード無線（ＭＳＲ）無線ノード、分散アンテナシステム（ＤＡＳ）内のノード、Ｏ＆Ｍ、ＯＳＳ、ＳＯＮ、測位ノード（例えば、Ｅ−ＳＭＬＣ）、ＭＤＴ、または任意の他の適切なネットワークノードを含む。ネットワークノード１１５は、ホモジニアス配置、ヘテロジニアス配置、または混合配置として、ネットワーク１００全体にわたり配置されてもよい。ホモジニアス配置は、概して、同じ（または類似する）タイプのネットワークノード１１５および／または類似するカバレッジおよびセルサイズならびにサイト間距離で構成されている配置を説明することができる。ヘテロジニアス配置は、概して、さまざまなセルサイズ、送信電力、容量、およびサイト間距離を有する多種多様なタイプのネットワークノード１１５を使用する配置を説明することができる。例えば、ヘテロジニアス配置は、マクロセルのレイアウト全体にわたり配置された複数の低電力ノードを含むことができる。混合配置は、ホモジニアス部分とヘテロジニアス部分の混合を含むことができる。
【００６４】
ネットワークノード１１５は、送受信機５１０、プロセッサ５２０（プロセッサ回路を含む）、メモリ５３０、およびネットワークインターフェース５４０のうちの１つまたは複数を含むことができる。一部の実施形態において、送受信機５１０は、（例えば、アンテナ５５０を介して）無線デバイス１１０への無線信号の送信、および無線デバイス１１０からの無線信号の受信を容易にし、プロセッサ５２０は、ネットワークノード１１５によって提供されるものと上記で説明された機能性の一部または全部を提供するための命令を実行し、メモリ５３０は、プロセッサ５２０によって実行される命令を格納し、ネットワークインターフェース５４０は、ゲートウェイ、スイッチ、ルータ、インターネット、公衆交換電話網（ＰＳＴＮ）、コアネットワークノード、または無線ネットワークコントローラなどのような、バックエンドのネットワークコンポーネントに信号を伝達する。
【００６５】
プロセッサ５２０は、上記の図１〜図４に関して上記で説明されているような、ネットワークノード１１５の説明されている機能の一部または全部を実行するように、命令を実行してデータを操作するために、１つまたは複数のモジュールにおいて実施されたハードウェアおよびソフトウェアの任意の適切な組み合わせを含むことができる。一部の実施形態において、プロセッサ５２０は、例えば、１つまたは複数のコンピュータ、１つまたは複数の中央演算処理装置（ＣＰＵ）、１つまたは複数のマイクロプロセッサ、１つまたは複数のアプリケーション、および／またはその他の論理を含むことができる。
【００６６】
メモリ５３０は、概して、コンピュータプログラム、ソフトウェア、論理、ルール、アルゴリズム、コード、テーブルなどの１つまたは複数を含むアプリケーションのような命令、および／またはプロセッサによって実行され得るその他の命令を格納するように動作可能である。メモリ５３０の例は、コンピュータメモリ（例えば、ランダムアクセスメモリ（ＲＡＭ）または読み取り専用メモリ（ＲＯＭ））、大容量ストレージ媒体（例えば、ハードディスク）、取り外し可能ストレージ媒体（例えば、コンパクトディスク（ＣＤ）またはデジタルビデオディスク（ＤＶＤ））、および／または情報を格納する任意のその他の揮発性または不揮発性の、非一時的コンピュータ可読および／またはコンピュータ実行可能メモリデバイスを含む。
【００６７】
一部の実施形態において、ネットワークインターフェース５４０は、プロセッサ５２０に通信可能に結合されており、ネットワークノード１１５の入力を受信し、ネットワークノード１１５から出力を送信し、入力または出力またはその両方の適切な処理を実行し、他のデバイスと通信するように動作可能な任意の適切なデバイス、もしくはそれらの任意の組み合わせを示すことができる。ネットワークインターフェース５４０は、ネットワークを通じて通信するため、適切なハードウェア（例えば、ポート、モデム、ネットワークインターフェースカードなど）、ならびにプロトコル変換およびデータ処理能力を含むソフトウェアを含むことができる。
【００６８】
ネットワークノード１１５のその他の実施形態は、上記で説明されている機能性および／または（上記で説明されている解決策をサポートするために必要な任意の機能性を含む）任意の追加の機能性のいずれかを含む、無線ネットワークノードの機能性の特定の態様を提供することに責任を負う、図５に示されているコンポーネント以外の追加のコンポーネントを含むことができる。多種多様なタイプのネットワークノードは、同じ物理ハードウェアを有するが異なる無線アクセス技術をサポートするように（例えば、プログラミングを介して）設定されたコンポーネントを含むことができるか、または部分的もしくは全体的に異なる物理コンポーネントを表すことができる。
【００６９】
図６は、特定の実施形態による例示的な無線ネットワークコントローラまたはコアネットワークノードを示すブロック概略図である。ネットワークノードの例は、移動通信交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを含むことができる。無線ネットワークコントローラまたはコアネットワークノードは、プロセッサ６２０（プロセッサ回路を含む）、メモリ６３０、およびネットワークインターフェース６４０を含む。一部の実施形態において、プロセッサ６２０は、ネットワークノードによって提供されるものと上記で説明された機能性の一部または全部を提供するための命令を実行し、メモリ６３０は、プロセッサ６２０によって実行される命令を格納し、ネットワークインターフェース６４０は、ゲートウェイ、スイッチ、ルータ、インターネット、公衆交換電話網（ＰＳＴＮ）、ネットワークノード１１５、無線ネットワークコントローラまたはコアネットワークノードなどのような、任意の適切なノードに信号を伝達する。
【００７０】
プロセッサ６２０は、無線ネットワークコントローラまたはコアネットワークノードの説明されている機能の一部または全部を実行するように、命令を実行してデータを操作するために、１つまたは複数のモジュールにおいて実施されたハードウェアおよびソフトウェアの任意の適切な組み合わせを含むことができる。一部の実施形態において、プロセッサ６２０は、例えば、１つまたは複数のコンピュータ、１つまたは複数の中央演算処理装置（ＣＰＵ）、１つまたは複数のマイクロプロセッサ、１つまたは複数のアプリケーション、および／またはその他の論理を含むことができる。
【００７１】
メモリ６３０は、概して、コンピュータプログラム、ソフトウェア、論理、ルール、アルゴリズム、コード、テーブルなどの１つまたは複数を含むアプリケーションのような命令、および／またはプロセッサによって実行され得るその他の命令を格納するように動作可能である。メモリ６３０の例は、コンピュータメモリ（例えば、ランダムアクセスメモリ（ＲＡＭ）または読み取り専用メモリ（ＲＯＭ））、大容量ストレージ媒体（例えば、ハードディスク）、取り外し可能ストレージ媒体（例えば、コンパクトディスク（ＣＤ）またはデジタルビデオディスク（ＤＶＤ））、および／または、情報を格納する任意のその他の揮発性または不揮発性の、非一時的コンピュータ可読および／またはコンピュータ実行可能メモリデバイスを含む。
【００７２】
一部の実施形態において、ネットワークインターフェース６４０は、プロセッサ６２０に通信可能に結合されており、ネットワークノードの入力を受信し、ネットワークノードから出力を送信し、入力または出力またはその両方の適切な処理を実行し、他のデバイスと通信するように動作可能な任意の適切なデバイス、もしくはそれらの任意の組み合わせを示すことができる。ネットワークインターフェース６４０は、ネットワークを通じて通信するため、適切なハードウェア（例えば、ポート、モデム、ネットワークインターフェースカードなど）、ならびにプロトコル変換およびデータ処理能力を含むソフトウェアを含むことができる。
【００７３】
ネットワークノードのその他の実施形態は、上記で説明されている機能性および／または（上記で説明されている解決策をサポートするために必要な任意の機能性を含む）追加の機能性のいずれかを含む、ネットワークノードの機能性の特定の態様を提供することに責任を負う、図６に示されているコンポーネント以外の追加のコンポーネントを含むことができる。
【００７４】
図７は、特定の実施形態による例示的な無線デバイスを示すブロック概略図である。無線デバイス１１０は、１つまたは複数のモジュールを含むことができる。例えば、無線デバイス１１０は、決定モジュール７１０、通信モジュール７２０、受信モジュール７３０、入力モジュール７４０、表示モジュール７５０、および任意の他の適切なモジュールを含むことができる。無線デバイス１１０は、図１〜図６に関して上記で説明されている機能を実行することができる。
【００７５】
決定モジュール７１０は、無線デバイス１１０の処理機能を実行することができる。例えば、決定モジュール７１０は、第１および第２のＲＳ信号が受信されたということを決定することができる。決定モジュール７１０はまた、第２の信号が第１のＲＳ信号のチャネル相関に関してＱＣＬであるという指示を決定することができる。決定モジュール７１０はチャネル推定およびビームフォーミングスイープをさらに実行してもよい。例えば、決定モジュール７１０は指示に基づいて空間的なプロパティを推測し、第２のＲＳに基づいて推測された空間的なプロパティを使用してチャネル推定を実行することができる。決定モジュール７１０は、図４に関して上記で説明されているプロセッサ４２０のような、１つまたは複数のプロセッサを含むか、またはそれらのプロセッサに含まれてもよい。決定モジュール７１０は、上記で説明されている決定モジュール７１０および／またはプロセッサ４２０の機能のいずれかを実行するように設定されたアナログおよび／またはデジタル回路を含むことができる。上記で説明されている決定モジュール７１０の機能は、特定の実施形態において、１つまたは複数の別個のモジュールにおいて実行されてもよい。
【００７６】
通信モジュール７２０は、無線デバイス１１０の送信機能を実行することができる。通信モジュール７２０は、ネットワーク１００のネットワークノード１１５の１つまたは複数にメッセージを送信することができる。通信モジュール７２０は、図４に関して上記で説明されている送受信機４１０のような、送信機および／または送受信機を含むことができる。通信モジュール７２０は、メッセージおよび／または信号を無線で送信するように設定された回路を含むことができる。特定の実施形態において、通信モジュール７２０は、決定モジュール７１０から送信のためのメッセージおよび／または信号を受信することができる。特定の実施形態において、上記で説明されている通信モジュール７２０の機能は、１つまたは複数の別個のモジュールにおいて実行されてもよい。
【００７７】
受信モジュール７３０は、無線デバイス１１０の受信機能を実行することができる。１つの例として、受信モジュール７３０は第１および第２のＲＳ信号を受信することができる。受信モジュール７３０は、図４に関して上記で説明されている送受信機４１０のような、受信機および／または送受信機を含むことができる。受信モジュール７３０は、メッセージおよび／または信号を無線で受信するように設定された回路を含むことができる。特定の実施形態において、受信モジュール７３０は、受信されたメッセージおよび／または信号を決定モジュール７１０に通信することができる。
【００７８】
入力モジュール７４０は、無線デバイス１１０に向けられたユーザ入力を受信することができる。例えば、入力モジュールは、キー押し下げ、ボタン押し下げ、タッチ、スワイプ、オーディオ信号、ビデオ信号、および／または任意の他の適切な信号を受信することができる。入力モジュールは、１つまたは複数のキー、ボタン、レバー、スイッチ、タッチスクリーン、マイクロフォン、および／またはカメラを含むことができる。入力モジュールは、受信された信号を決定モジュール７１０に通信することができる。
【００７９】
表示モジュール７５０は、無線デバイス１１０のディスプレイに信号を提示することができる。表示モジュール７５０は、ディスプレイおよび／またはディスプレイ上に信号を提示するように設定された任意の適切な回路およびハードウェアを含むことができる。表示モジュール７５０は、決定モジュール７１０からディスプレイ上に提示する信号を受信することができる。
【００８０】
決定モジュール７１０、通信モジュール７２０、受信モジュール７３０、入力モジュール７４０、および表示モジュール７５０は、ハードウェアおよび／またはソフトウェアの任意の適切な設定を含むことができる。無線デバイス１１０は、上記で説明されている機能性および／または（本明細書において説明されるさまざまな解決策をサポートするために必要な任意の機能性を含む）追加の機能性のいずれかを含む、任意の適切な機能性を提供することに責任を負う、図７に示されているモジュール以外の追加のモジュールを含むことができる。
【００８１】
図８は、特定の実施形態による例示的なネットワークノード１１５を示すブロック概略図である。ネットワークノード１１５は、１つまたは複数のモジュールを含むことができる。例えば、ネットワークノード１１５は、決定モジュール８１０、通信モジュール８２０、受信モジュール８３０、および任意の他の適切なモジュールを含むことができる。一部の実施形態において、決定モジュール８１０、通信モジュール８２０、受信モジュール８３０、または任意の他の適切なモジュールのうちの１つまたは複数は、図５に関して上記で説明されているプロセッサ５２０のような、１つまたは複数のプロセッサを使用して実施されてもよい。特定の実施形態において、さまざまなモジュールのうちの２つ以上の機能は、単一のモジュールに組み合わされてもよい。ネットワークノード１１５は、図１〜図７に関して上記で説明されている機能を実行することができる。
【００８２】
決定モジュール８１０は、ネットワークノード１１５の処理機能を実行することができる。例えば、決定モジュール８１０は第１および第２のＲＳ信号がいつ送信されるべきかを決定することができる。決定モジュール８１０は、図５に関して上記で説明されているプロセッサ５２０のような、１つまたは複数のプロセッサを含むか、またはそれらのプロセッサに含まれてもよい。決定モジュール８１０は、上記で説明されている決定モジュール８１０および／またはプロセッサ５２０の機能のいずれかを実行するように設定されたアナログおよび／またはデジタル回路を含むことができる。決定モジュール８１０の機能は、特定の実施形態において、１つまたは複数の別個のモジュールにおいて実行されてもよい。例えば、特定の実施形態において、決定モジュール８１０の機能性の一部は、割り振りモジュールによって実行されてもよい。
【００８３】
通信モジュール８２０は、ネットワークノード１１５の送信機能を実行することができる。１つの例として、通信モジュール８２０は第１および第２のＲＳ信号を送信することができる。通信モジュール８２０は、メッセージを、無線デバイス１１０の１つまたは複数に送信することができる。通信モジュール８２０は、図５に関して上記で説明されている送受信機５１０のような、送信機および／または送受信機を含むことができる。通信モジュール８２０は、メッセージおよび／または信号を無線で送信するように設定された回路を含むことができる。特定の実施形態において、通信モジュール８２０は、決定モジュール８１０または任意の他のモジュールから送信のためのメッセージおよび／または信号を受信することができる。
【００８４】
受信モジュール８３０は、ネットワークノード１１５の受信機能を実行することができる。受信モジュール８３０は、無線デバイスから任意の適切な情報を受信することができる。受信モジュール８３０は、図５に関して上記で説明されている送受信機５１０のような、受信機および／または送受信機を含むことができる。受信モジュール８３０は、メッセージおよび／または信号を無線で受信するように設定された回路を含むことができる。特定の実施形態において、受信モジュール８３０は、受信されたメッセージおよび／または信号を決定モジュール８１０または任意の他の適切なモジュールに通信することができる。
【００８５】
決定モジュール８１０、通信モジュール８２０、受信モジュール８３０は、ハードウェアおよび／またはソフトウェアの任意の適切な設定を含むことができる。ネットワークノード１１５は、上記で説明されている機能性および／または（本明細書において説明されるさまざまな解決策をサポートするために必要な任意の機能性を含む）追加の機能性のいずれかを含む、任意の適切な機能性を提供することに責任を負う、図８に示されているモジュール以外の追加のモジュールを含むことができる。
【００８６】
ＮＲ−例
特定の３ＧＰＰの新しい無線（ＮＲ）の実装において、すべての物理的なチャネルおよび参照信号はアンテナポートを使用して送信される。アンテナポートはアンテナポート上のシンボルが伝達されるチャネルが、同一のアンテナポート上の別のシンボルが伝達されるチャネルから推測されることができるように設定される。アンテナポートについてのパラメータは、少なくとも平均のゲイン、平均の遅延、遅延広がり、ドップラーシフト、およびドップラー広がり（ＬＴＥに類似する）を含む。ＵＥビームフォーミング管理は、これらおよび他のパラメータについてのＱＣＬを使用することができる。ＤＭＲＳアンテナポートは互いにＱＣＬされることができる。ＱＣＬはＤＭ−ＲＳアンテナポートについてスケジューリングされたＰＲＢにわたって実行されてもよい。ＱＣＬは、ＤＭ−ＲＳアンテナポートグループの間で実行されてもよい。ＤＭＲＳアンテナポートのＱＣＬは他の参照信号のアンテナポートで実行されてもよい。ＮＲにおける復調用参照信号（ＤＭ−ＲＳ）のアンテナポートは少なくとも物理的なデータおよび恐らくは制御チャネルを送信するために使用されてもよく、復調のためにＵＥで使用されてもよい。ＵＥがアンテナポートの間で作成することを許容されるＱＣＬ想定は識別され、および明示的に特定される。１つのアンテナポート上のシンボルが伝達されるチャネルのプロパティが他のアンテナポート上でシンボルが伝達されるチャネルから推測することができる場合、２つのアンテナポートは疑似コロケートされたということができる。
【００８７】
ビームベースの動作はＮＲアンテナポートの定義に新しい次元を導入する。高ゲインビームフォーミング機能を備える送信機は、時間経過に伴って参照信号についてのビームフォーミング重みベクトルを変化させることがあり、例えば、ＬＴＥにおけるプリコードされたＣＳＩ−ＲＳに類似している。プリコードされた参照信号のプリコーダが時間においてあるポイントで突然変化するという事象はポートコヒーレンシ遷移と表記され得る。ポートコヒーレンシ遷移は参照信号のプリコーダが突然変化する時に発生することがあり、そのためチャネルは遷移境界をまたぐシンボル同士の間で容易に推測することができない。ポートコヒーレンシ遷移は、主に送信ノードは新しいチャネル状態情報が利用可能となる際に参照信号のプリコーダまたはビームフォーミング重みベクトルを更新することがあるという理由で、ビームベースの動作において重要である。例は、動くＵＥを追跡するために参照信号が時間経過に伴って更新されるビーム追跡である。別のケースはＣＳＩ−ＲＳポートについてであり、ここではリソースがリソースプールから取得され、ネットワークは別のビームにおけるリソース、または後続のサブフレームにおける別のＴＲＰからのリソースを使用することを決定する。ポートコヒーレンシ遷移は、シンボルに関してチャネルを推測することができる別のシンボルが存在すべきであるというアンテナポートについての想定を影響しないか、または妨害しない。そこからチャネルを推測することができない同一のアンテナポート上で伝達される、なお別のシンボルが存在するということを排除しない。しかしながら、あらゆるシンボルは、シンボル同士の間のチャネル実現を相互に推測する可能性があるポートコヒーレンシ領域の一部である。シンボル、ポートコヒーレンシ遷移、および領域の関係を、アンテナポートにマッピングされる信号の時間−周波数レイアウトを示す図９に例示する。図９は異なるシンボルが、同一または異なるポートコヒーレンシ領域に位置するどうかに依存して、互いにどのように関係するかを例示している。ポートコヒーレンシ遷移では、信号のプリコーディングまたはビームフォーミングは突然変化することがある。１つの結果はシンボル同士の間のチャネル実現を相互に推測する可能性があるシンボルのポートコヒーレンシ領域の存在である。
【００８８】
ポートコヒーレンシ領域はＬＴＥにおいて間接的に採用されてもよい。例えば、ＤＭＲＳポートが、時間における１つのサブフレームと周波数における１つのプリコーダリソースブロックグループ（ＰＲＧ）にまたがるポートコヒーレンシ領域を有する。別の例はＣＳＩ−ＲＳ測定値であり、ＬＴＥリリース１３からのそれは測定値制限で設定することができ、効果的にポートコヒーレンシ領域を時間におけるＣＳＩ−ＲＳ周期性、および周波数における全帯域幅と同一とすることができる。ＮＲにおけるポート定義がポートコヒーレンシ領域の観念を含むかどうかに関わらず、ポートコヒーレンシ領域に関してＵＥが何を想定することができるかを直接または間接的に特定することができる。ＮＲの実装において、ＵＥが、ＵＥに既知のすべてのアンテナポートについてのポートコヒーレンシ領域を決定する手段があってもよい。
【００８９】
ＮＲにおいて疑似コロケーションの観念は、プリコードされたまたはビームフォーミングされた信号の効果を捉えることができる。２つのアンテナポートは、１つのアンテナポート上のシンボルが伝達されるチャネルの大規模なプロパティが他のアンテナポート上のシンボルが伝達されるチャネルから推測できる場合、疑似コロケートされた（ＱＣＬ）と言える。
【００９０】
しばしば、ＱＣＬは異なるＴＲＰにマッピングされるアンテナポートに適用されない。このルールについての可能性のある例外としては、送信のＳＦＮタイプが挙げられる。ビームベースの動作を考慮すると、異なるビーム空間における有効なチャネルは非常に異なって見えることがあるため、アンテナポートが同一のＴＲＰにマッピングされる時でもデフォルトでＱＣＬを想定することはやはり可能ではない。ビームフォーミングは、例えば、有効なチャネルの平均のゲインまたは遅延広がりに影響を及ぼすことがある。
【００９１】
同一の送信ポイントにマッピングされるアンテナポートは、必ずしもＱＣＬでなくてもよい。同様に、プリコードされたアンテナポートのプリコーダがポートコヒーレンシ遷移事象に際して変化することがあるように、アンテナポートは必ずしも異なるポートコヒーレンシ領域上でそれ自身ＱＣＬではなく、しかし２つのアンテナポートのセットは相互にＱＣＬであるポートコヒーレンシ領域を有することができ、例えば、２つのコヒーレンシ領域のポートのプリコーダが一致する場合である。同様に、アンテナポートは必ずしも異なるポートコヒーレンシ領域上でそれ自身ＱＣＬでなくてもよい。１つのアンテナポートについてのポートコヒーレンシ領域は別のアンテナポートについての別のポートコヒーレンシ領域でＱＣＬであることができる。したがって、ＱＣＬはデフォルトで想定され得る何かではなく、受信ノードにシグナリングされるべき、または仕様を通じて演繹的に既知であるポートコヒーレンシ領域同士の間の関係である。したがって、アンテナポートだけではＱＣＬの関係を説明するのに十分ではないことは明らかであるため、ＱＣＬの定義はポートコヒーレンシ領域の効果を捉えるために改良することができる。
【００９２】
ビーム管理はビームスイーピングのさまざまな形態を含む。送信機は、受信ノードがスイープすることを容易にし、最適な受信機ビームを識別するためにプリコードされた参照信号を繰り返し送信することがある。次いで、ＵＥは同一のプリコーダと共に送信される信号のもっと遅い受信について最適化された受信機ビームを使用することができる。この作業のため、メカニズムおよび仕様の表現は、２つの参照信号が例えば「同一のやり方で」ビームフォーミングされた同一のプリコーダと共に送信されたことをＵＥに指示する。受信機は、２つの異なる信号が特にアナログ受信に関して受信機処理を改善するために同一のＴＲＰから類似するプリコーディングと共に送信されるという情報を使用することができる。
【００９３】
疑似コロケーションは同一のＴＲＰから発せられ、かつ同一のプリコーダを使用する２つの異なる信号同士の間の関係を説明するやり方である。欠けていることとしては、改善された受信機処理を可能にするために、受信機によって使用されることができるチャネルプロパティである。チャネルプロパティは、空間的な受信機フィルタリングについて使用されるように、何らかの空間的な分布を捉える。１つの例として、ＵＥはこのプロパティを使用して、２つの異なる信号を受信する時、同一のアナログ受信ビームを使用することができることを想定することが可能であるべきである。したがって、空間的なチャネルプロパティはアナログ受信機ビームフォーミングのさまざまな形態を容易にするためにＱＣＬプロパティの一覧に追加されてもよい。
【００９４】
振幅および位相などのチャネル実現の１次モーメントは、大概ＱＣＬパラメータとして使用されるには詳細過ぎて予測しにくいものである。任意の受信機アンテナアレイを捉える直接的ではない推定アルゴリズムはそのようなＱＣＬパラメータを伴うことを必要とするであろうため到着角度分布を説明するパラメータもまた適切ではない。アンテナポート同士の間の２次統計量は、推定するためにはシンプルかつ直接的である。受信機の目的のために、チャネルの受信機側の相関に関するＱＣＬ想定を使用することがしばしば十分である。したがって、２次のチャネル統計量は空間的なＱＣＬプロパティとして好適な候補である。
【００９５】
受信機側のチャネル相関に関するＱＣＬはＱＣＬパラメータの一覧に追加されてもよい。チャネル相関に関するＱＣＬはまた、ＵＥが多くのポートを有する参照信号、例えば、プリコードされていない参照信号のＣＳＩ−ＲＳタイプに基づいてチャネルを推定すると期待される場合、アプリケーションに有用であることができる。プリコードされていないＣＳＩ−ＲＳが以前に送信されたプリコードされていないＣＳＩ−ＲＳ（恐らく高パイロット密度で）に対してチャネル相関に関してＱＣＬであることをＵＥが知っていると想定すると、以前に送信されたＣＳＩ−ＲＳから取得された空間的なチャネル相関を使用して空間的な処理ゲインを得ることができる。一部の例において、送信機側のチャネル相関に関するＱＣＬまたは空間的なチャネル相関に関するＱＣＬは、概して、ＱＣＬパラメータの一覧に追加されてもよい。
【００９６】
相互校正送信機および受信機チェーンを有するノードについて、受信されることになる信号が先に送信された別の信号に対する相互応答がいつかを知ることは有用であり得る。すなわち、アナログビームフォーミングを伴うノードがいくらかのアナログビームを伴うサウンディング参照信号を送信していると想定する。サウンディングに対する応答を受信する時、その応答が相互チャネルを通じて到着すると期待することができ、それについて受信機ビームは好都合に相互送信に使用されたのと同一のビームであることができる。ＱＣＬフレームワークはまた、アナログビームフォーミングについて、受信した信号が送信された信号で相互に疑似コロケートされると定義することによって、相互応答のユースケースをカバーするように拡張されてもよい。相互に疑似コロケートされる信号の観念は、アナログビームフォーミングについての以前のサウンディングに対する相互応答の受信の場合を扱うために導入されることができる。
【００９７】
ＬＴＥとは異なり、ＮＲはサイドリンク（ＳＬ）についてネイティブなサポートを提供することを期待される。ＬＴＥと比較した別の違いは、ＭＩＭＯ機能がＮＲにおけるＳＬに関しても関連性があることを期待されることである。サイドリンクのために使用される送信機／受信機の空間的な処理は、セルラーインターフェースについて使用されるものと全く同じでない場合、類似していると期待され、したがって、ＱＣＬフレームワークはＳＬポートを含むことができる。著しい違いは、一部のデバイスは非３ＧＰＰの同期ソース（例えば、ＧＮＳＳ）に同期することができることであり、これは例えば、Ｖ２Ｘについて起こりそうなシナリオである。この場合、少なくとも受信したタイミングおよびＮＲポートおよびＧＮＳＳの間のドップラーシフトに関して設定可能なＱＣＬを有効化することが有用である。
【００９８】
さらなる所見は、サイドリンクポートは必ずしも「ＵＥ  ＩＤ」に関連付けられていないということである。例えば、サイドリンク参照信号（ＬＴＥにおけるＳＬＳＳ）および、複数のＵＥによってＳＦＮ様式でブロードキャストされる、関連付けられているブロードキャスト制御チャネル送信（ＬＴＥにおけるＰＳＢＣＨ）である。この場合、ＱＣＬの想定は一意のＵＥ  ＩＤおよび恐らくはセルＩＤにさえも関連付けられていない特定のアンテナポートを参照することになる。したがって、サイドリンクアンテナポートはＱＣＬフレームワークに含まれることができ、またＧＮＳＳなどの外部の同期参照はタイミングおよび周波数シフトに関するＱＣＬについて含まれることができる。
【００９９】
本開示の範囲を逸脱することなく、本明細書において説明されるシステムおよび装置に変更、追加、または省略が行われてもよい。システムおよび装置のコンポーネントは、統合されるか、または分離されてもよい。さらに、システムおよび装置の動作は、より多いか、より少ないか、またはその他のコンポーネントによって実行されてもよい。加えて、システムおよび装置の動作は、ソフトウェア、ハードウェア、および／またはその他の論理を備える任意の適切な論理を使用して実行されてもよい。本文書において使用される「各（ｅａｃｈ）」は、セットの各構成要素、またはセットのサブセットの各構成要素を示す。
【０１００】
本開示の範囲を逸脱することなく、本明細書において説明される方法に変更、追加、または省略が行われてもよい。方法は、より多いか、より少ないか、またはその他のステップを含むことができる。加えて、ステップは、任意の適切な順序で実行されてもよい。
【０１０１】
本開示は特定の実施形態に関して説明されてきたが、実施形態の変更および置換は、当業者には明らかとなろう。したがって、実施形態の上記の説明は、本開示を制約することはない。その他の変更、代替、および改変は、添付の特許請求の範囲により規定される本開示の精神および範囲を逸脱することなく可能である。
【０１０２】
前述の説明において使用されている省略語は、以下のものを含むことができる。
ＡＰ  アクセスポイント
ＢＳ  基地局
ＢＳＣ  基地局コントローラ
ＢＴＳ  無線基地局
ＣＤＭ  符号分割多重
ＣＰＥ  顧客宅内機器
ＣＲＳ  セル特有参照信号
ＣＱＩ  チャネル品質指標
ＣＳＩ  チャネル状態情報
ＣＳＩ−ＲＳ  チャネル状態情報参照信号
Ｄ２Ｄ  デバイスツーデバイス
ＤＡＳ  分散アンテナシステム
ＤＣＩ  ダウンリンク制御情報
ＤＦＴ  離散フーリエ変換
ＤＬ  ダウンリンク
ＤＭＲＳ  復調用参照信号
ｅＮＢ  エボルブドＮｏｄｅＢ
ＥＰＤＣＣＨ  エンハンスド物理ダウンリンク制御チャネル
ＦＤＤ  周波数分割複信
ＬＡＮ  ローカルエリアネットワーク
ＬＥＥ  ラップトップ組み込み機器
ＬＭＥ  ラップトップ搭載機器
ＬＴＥ  Ｌｏｎｇ  Ｔｅｒｍ  Ｅｖｏｌｕｔｉｏｎ
Ｍ２Ｍ  マシンツーマシン
ＭＡＮ  大都市圏ネットワーク
ＭＣＥ  マルチセル／マルチキャスト協調エンティティ
ＭＣＳ  変調レベルおよびコーディングスキーム
ＭＩＭＯ  多入力多出力
ＭＲ  測定値制限
ＭＳＲ  マルチスタンダード無線
ＭＵ−ＭＩＭＯ  多ユーザＭＩＭＯ
ＮＡＳ  非アクセス階層
ＮＺＰ  非ゼロ電力
ＯＣＣ  直交カバーコード
ＯＦＤＭ  直交周波数分割多重
ＰＤＣＣＨ  物理ダウンリンク制御チャネル
ＰＤＳＣＨ  物理ダウンリンク共有チャネル
ＰＭＩ  プリコードされたマトリックス指標
ＰＲＢ  物理的リソースブロック
ＰＳＴＮ  公衆交換電話網
ＰＵＳＣＨ  物理アップリンク共有チャネル
ＰＵＣＣＨ  物理アップリンク制御チャネル
ＲＢ  リソースブロック
ＲＩ  ランク指標
ＲＮＣ  無線ネットワークコントローラ
ＲＲＣ  無線リソース制御
ＲＲＨ  リモート無線ヘッド
ＲＲＵ  リモートラジオユニット
ＳＵ−ＭＩＭＯ  単一ユーザＭＩＭＯ
ＴＤＤ  時分割複信
ＴＦＲＥ  時間周波数リソース要素
ＴＭ  送信モード
ＵＣＩ  アップリンク制御情報
ＵＥ  ユーザ機器
ＵＬ  アップリンク
ＷＡＮ  ワイドエリアネットワーク
ＺＰ  ゼロ電力
【図１】
2019537858.tif 000003
【図２Ａ】
2019537858.tif 000004
【図２Ｂ】
2019537858.tif 000005
【図３】
2019537858.tif 000006
【図４】
2019537858.tif 000007
【図５】
2019537858.tif 000008
【図６】
2019537858.tif 000009
【図７】
2019537858.tif 000010
【図８】
2019537858.tif 000011
【図９】
2019537858.tif 000012
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）（１１０）に実装される方法（２３０）であって、
第１の送信アンテナポートから第１の参照信号（ＲＳ）を受信すること（２３２）と、
前記第１のＲＳに基づいてチャネル推定を実行すること（２３４）と、
前記第１のＲＳおよび第２のＲＳが空間的なプロパティを共有するという指示を取得すること（２３６）と、
第２の送信アンテナポートから前記第２のＲＳを受信すること（２３８）と、
前記指示に基づいて前記第２のＲＳについての共有される前記空間的なプロパティを推測すること（２４０）と、
前記第２のＲＳに基づいて、推測された前記空間的なプロパティを使用してチャネル推定を実行すること（２４２）と
を備える方法。
【請求項２】
前記第２のＲＳに基づく前記チャネル推定が、前記第１のＲＳについての前記チャネル推定の部分的な結果を二重にすることを含む、請求項１に記載の方法。
【請求項３】
前記第２のＲＳに基づく前記チャネル推定が、前記第１のＲＳについて実行される処理または測定活動を省略することを含む、請求項１に記載の方法。
【請求項４】
前記第１および第２のＲＳに基づく前記チャネル推定が、連帯的に実行される、請求項１に記載の方法。
【請求項５】
前記第１のＲＳに基づく前記チャネル推定が、受信機の空間的なプロパティを表すパラメータの値を決定することを備え、
前記値を再利用している間に前記第２のＲＳが受信される、請求項１に記載の方法。
【請求項６】
前記第１のＲＳに基づく前記チャネル推定が、共有される少なくとも１つの前記空間的なプロパティに基づいて推定フィルタを生成することを備え、
前記第２のＲＳに基づく前記チャネル推定が、生成された前記推定フィルタを適用することを備える、請求項１に記載の方法。
【請求項７】
前記指示がコロケーション指示または疑似コロケーション指示である、請求項１に記載の方法。
【請求項８】
少なくとも１つの前記空間的なプロパティが、
チャネル相関パラメータ、
前記チャネルの空間的な相関マトリックス、
前記チャネルの受信機側の空間的な相関マトリックス、
空間的な相関マトリックスの因子、
空間的な相関マトリックスのマトリックス因子、
空間的な相関マトリックスの線形な組み合わせ要素、
非スカラープロパティ、
受信ビーム重み設定を表すメトリック、および
空間的なチャネル相関のサブセットまたは線形な組み合わせ、
から選択される、請求項１に記載の方法。
【請求項９】
前記第１のＲＳに基づいてチャネル推定を実行すること（２３４）が、前記第１のＲＳに基づいてチャネル相関マトリックスを推定することを備える、請求項１に記載の方法。
【請求項１０】
前記第２のＲＳに基づいてチャネル推定を実行する時、処理ゲインを取得することをさらに備える、請求項１に記載の方法。
【請求項１１】
前記第１のＲＳの送信と前記第２のＲＳの送信との間の関係が、前記第１および第２のＲＳが送信される時点に非明示的に依存する、請求項１に記載の方法。
【請求項１２】
ユーザ機器（ＵＥ）（１１０）であって、
受信機（４１０）と、
送信機（４１０）と、
プロセッサ（４２０）と、
メモリ（４３０）であって、前記プロセッサ（４２０）によって
前記受信機（４１０）を使用して少なくとも１つの送信アンテナポートから第１の参照信号（ＲＳ）を受信すること（２３２）と、
前記第１のＲＳに基づいてチャネル推定を実行すること（２３４）と、
前記第１のＲＳおよび第２のＲＳが空間的なプロパティを共有するという指示を取得すること（２３６）と、
前記受信機（４１０）を使用して第２の送信アンテナポートから前記第２のＲＳを受信すること（２３８）と、
前記第２のＲＳについての共有される前記空間的なプロパティを推測すること（２４０）と、
前記第２のＲＳに基づいて、推測された前記空間的なプロパティを使用してチャネル推定を実行すること（２４２）と
を行うための実行可能な命令を記憶するメモリ（４３０）とを備える、ユーザ機器（ＵＥ）（１１０）。
【請求項１３】
前記受信機（４１０）が複数アンテナ受信機である、請求項１２に記載のＵＥ。
【請求項１４】
前記受信機（４１０）が、アナログドメイン、デジタルドメイン、またはその両方において制御可能な２つ以上のアンテナ要素を装備する、請求項１３に記載のＵＥ。
【請求項１５】
前記第２のＲＳに基づく前記チャネル推定が、前記第１のＲＳについての前記チャネル推定の部分的な結果を二重にすることを含む、請求項１２に記載のＵＥ。
【請求項１６】
前記第２のＲＳに基づく前記チャネル推定が、前記第１のＲＳについて実行される処理または測定活動を省略することを含む、請求項１２に記載のＵＥ。
【請求項１７】
前記第１および第２のＲＳに基づく前記チャネル推定が、連帯的に実行される、請求項１２に記載のＵＥ。
【請求項１８】
前記第１のＲＳに基づく前記チャネル推定が、受信機の空間的なプロパティを表すパラメータの値を決定することを備え、
前記値を再利用している間に前記第２のＲＳが受信される、請求項１２に記載のＵＥ。
【請求項１９】
前記第１のＲＳに基づく前記チャネル推定が、共有される少なくとも１つの前記空間的なプロパティに基づいて推定フィルタを生成することを備え、
前記第２のＲＳに基づく前記チャネル推定が、生成された前記推定フィルタを適用することを備える、請求項１２に記載のＵＥ。
【請求項２０】
前記指示がコロケーション指示または疑似コロケーション指示である、請求項１２から１９のいずれか一項に記載のＵＥ。
【請求項２１】
少なくとも１つの前記空間的なプロパティが、
チャネル相関パラメータ、
前記チャネルの空間的な相関マトリックス、
前記チャネルの受信機側の空間的な相関マトリックス、
空間的な相関マトリックスの因子、
空間的な相関マトリックスのマトリックス因子、
空間的な相関マトリックスの線形な組み合わせ要素、
非スカラープロパティ、
受信ビーム重み設定を表すメトリック、および
空間的なチャネル相関のサブセットまたは線形な組み合わせ、
から選択される、請求項１２に記載のＵＥ。
【請求項２２】
前記第１のＲＳの送信と前記第２のＲＳの送信との間の関係が、前記第１および第２のＲＳが送信される時点に非明示的に依存する、請求項１２に記載のＵＥ。
【国際調査報告】
2019537858.tif 000013
2019537858.tif 000014
2019537858.tif 000015